(57)【特許請求の範囲】
【請求項１】
ホイール速度から仮想の目標入力軸速度を生成する基準速度生成段階（Ｓ１０）と、
実際測定された入力軸速度と前記仮想の目標入力軸速度との差によって振動成分を検出する振動認知段階（Ｓ２０）と、
前記入力軸に連結された乾式クラッチを制御するクラッチ制御トルクにアンチジャダー制御入力をさらに印加するにあたり、前記アンチジャダー制御入力は、前記振動認知段階（Ｓ２０）で認知した振動成分に対して、インパルス性制御入力から始まり連続して０に収束する形態で印加する制御入力段階（Ｓ５０）と、
を含むことを特徴とする車両の乾式クラッチ制御方法。
【請求項２】
前記制御入力段階（Ｓ５０）で印加する前記アンチジャダー制御入力は、以下の時間に対する微分方程式によって決定されることを特徴とする請求項１に記載の車両の乾式クラッチ制御方法。
【数１】
0006393144.tif 000003
ここで、
ＴＡＪは、アンチジャダー制御トルク
σは、アンチジャダー制御トルクの減衰速度を決定する定数
λは、アンチジャダー制御トルクのインパルスの大きさ
ωｉは、測定された実際の入力軸速度
ωｉｄは、仮想の目標入力軸速度
【請求項３】
前記振動認知段階（Ｓ２０）と制御入力段階（Ｓ５０）との間に、前記振動認知段階（Ｓ２０）で認知した振動成分の振幅が所定の基準値以上の場合にのみ前記制御入力段階（Ｓ５０）を行うように制限する振動程度判断段階（Ｓ３０）をさらに含むことを特徴とする請求項１に記載の車両の乾式クラッチ制御方法。
【請求項４】
前記振動程度判断段階（Ｓ３０）と制御入力段階（Ｓ５０）との間に、車両の運転状態に応じて前記制御入力段階（Ｓ５０）へ進むか否かを決定する走行状態判断段階（Ｓ４０）をさらに含み、
前記走行状態判断段階（Ｓ４０）で判断する車両の運転状態は、車両が停車状態から発進する状態であるかを含み、
車両が停車状態から発進する状態の場合に、前記制御入力段階（Ｓ５０）へ進むことを特徴とする請求項３に記載の車両の乾式クラッチ制御方法。
【請求項５】
前記走行状態判断段階（Ｓ４０）で判断する車両の運転状態は、
車速が所定の水準を超えており、クラッチのジャダーが発生しうる範囲であるかを示す車速状態と、  クラッチのスリップが所定の水準未満であり、クラッチのジャダーが発生しうる範囲であるかを示すスリップ状態と、
エンジン速度の変化が所定の範囲内であり、エンジンが正常状態であるかを示すエンジン速度変化状態と、
エンジン速度がエンジンのアイドル速度より大きいかを示すエンジン速度状態と、を含み、
前記車速状態がクラッチのジャダーが発生しうる範囲であり、前記クラッチのスリップがクラッチのジャダーが発生しうる範囲であり、前記エンジン速度の変化がエンジンが正常状態であることを示し、エンジン速度がエンジンのアイドル速度より大きい場合に、前記制御入力段階（Ｓ５０）を行うことを特徴とする請求項４に記載の車両の乾式クラッチ制御方法。
【請求項６】
前記走行状態判断段階（Ｓ４０）で判断する車両の運転状態は、
所定の時間内に運転者がアクセルペダルを踏んでから離すことを繰り返す回数を含み、
前記所定の時間内に前記アクセルペダルを踏んでから離す操作が繰り返して行われる場合には、前記制御入力段階（Ｓ５０）を行わないことを特徴とする請求項５に記載の車両の乾式クラッチ制御方法。
【請求項７】
前記車両の運転状態のうち、車速状態、スリップ状態およびエンジン速度状態が前記制御入力段階（Ｓ５０）を行うための条件から逸脱するか、運転者がアクセルペダルから足を離す場合には、制御入力段階（Ｓ５０）の実行を中止することを特徴とする請求項６に記載の車両の乾式クラッチ制御方法。
【請求項８】
ホイール速度から仮想の目標入力軸速度を生成し、実際測定された入力軸速度と前記仮想の目標入力軸速度との差によって振動成分を検出する振動成分抽出器と、
前記入力軸に連結された乾式クラッチを制御するクラッチ制御トルクにアンチジャダー制御入力をさらに印加するにあたり、前記アンチジャダー制御入力は、前記振動成分抽出器で認知した振動成分に対して、インパルス性制御入力から始まり連続して０に収束する形態で印加するフィードバック制御器と、
を含むことを特徴とする車両の乾式クラッチ制御装置。
【請求項９】
前記振動成分抽出器は、
前記ホイール速度に変速比と最終減速比とを乗算して現在駆動に関連する入力軸の回転速度を求める積算部と、
前記のように求められた入力軸の回転速度を処理するハイパスフィルターと、
実際測定された入力軸速度と前記ハイパスフィルターから出力される前記仮想の目標入力軸速度との差による振動成分を抽出する比較器と、からなることを特徴とする請求項８に記載の車両の乾式クラッチ制御装置。
【請求項１０】
前記フィードバック制御器は、前記振動成分抽出器から入力される振動成分の振幅が所定の基準値以上の場合にのみ、前記アンチジャダー制御入力を以下の時間に対する微分方程式によって決定して印加するように構成されていることを特徴とする請求項９に記載の車両の乾式クラッチ制御装置。
【数１】
0006393144.tif 000004
ここで、
ＴＡＪは、アンチジャダー制御トルク
σは、アンチジャダー制御トルクの減衰速度を決定する定数
λは、アンチジャダー制御トルクのインパルスの大きさ
ωｉは、測定された実際の入力軸速度
ωｉｄは、仮想の目標入力軸速度
【発明の詳細な説明】
【技術分野】
【０００１】
本発明は、車両の乾式クラッチ制御方法及び装置に係り、より詳しくは、デュアルクラッチ変速機（ＤＣＴ  Ｄｕａｌ  Ｃｌｕｔｃｈ  Ｔｒａｎｓｍｉｓｓｉｏｎ）を含む自動化変速機（ＡＭＴ  Ａｕｔｏｍａｔｅｄ  Ｍａｎｕａｌ  Ｔｒａｎｓｍｉｓｓｉｏｎ）で使用される乾式クラッチで発生するジャダー（ｊｕｄｄｅｒ）に対応する車両の乾式クラッチ制御方法及び装置に関する。
【背景技術】
【０００２】
近年、自動変速機の運転の利便性と受動変速機の燃費性能および高い動力効率を同時に図ることができるデュアルクラッチ変速機（ＤＣＴ）の開発が広く行われている。ＤＣＴは、受動変速機システムをベースとする自動化変速機（ＡＭＴ）の一種であり、二つのトルク伝達軸を有することで、変速中にトルク低下を減少あるいは防止して変速品質を確保し、トルクコンバーターなしにクラッチを自動制御するシステムであって、燃費効率が高い利点がある。
しかし、ＤＣＴやＡＭＴは、トルクコンバーターなしにクラッチをすぐ締結して動力を制御するため、クラッチ制御性能が車両の発進および変速性能を左右する。
【０００３】
ＤＣＴやＡＭＴに使用するクラッチは、油圧で制御される湿式クラッチと単純な構成の機械式の作動方式を有する乾式クラッチとに分けられ、通常の走行状況では、乾式クラッチが湿式クラッチより３％以上高い動力伝達効率を有することが知られており、燃費向上の技術として脚光を浴びている。
しかし、上り坂で車両を発進させる時のように乾式クラッチが過熱する場合、乾式クラッチの摩擦係数が変化したり振動が発生するなど、クラッチの性能が低下する問題点がある。
【０００４】
上述のような乾式クラッチの温度上昇だけでなく、車両の重量や剛性によって生じるエンジンフライホイールとクラッチディスクとの回転速度差による特定のスリップ区間で乾式クラッチが振動する現象をジャダー（Ｊｕｄｄｅｒ）と言う。
このようなハードウェア的特性は、運転者に車両の縦方向振動を感じさせて、運転性を低下させる。この問題を解決するためには、クラッチディスクの材質などを変更する方法があるが、車両の動力伝達性能に影響を及ぼすことがあるなど、限界点を有している。
【０００５】
前記の発明の背景となる技術として説明した事項は、本発明の背景に関する理解を容易にするためのものであって、本技術分野における通常の知識を有する者にとって、公知の従来技術に該当することを認めるものと受け入れられてはならない。
【先行技術文献】
【特許文献】
【０００６】
【特許文献１】ＥＰ０８４５６１６  Ｂ１
【特許文献２】ＵＳ６０２４６７４  Ａ
【特許文献３】特開２０１１−１９０８６４号公報
【発明の概要】
【発明が解決しようとする課題】
【０００７】
本発明は、クラッチディスクの材質変更などの対応策を排除し、乾式クラッチでジャダーが発生する場合に、当該乾式クラッチを制御する方法により、ジャダーを効果的に抑制および除去することで、追加の費用や車両の重量変化をまねくことなく、車両の運転性を大幅に向上させることを目的とする。
【課題を解決するための手段】
【０００８】
上記目的を達成するための本発明による車両の乾式クラッチ制御方法は、ホイール速度から仮想の目標入力軸速度を生成する基準速度生成段階と、実際測定された入力軸速度と前記仮想の目標入力軸速度との差によって振動成分を検出する振動認知段階と、前記入力軸に連結された乾式クラッチを制御するクラッチ制御トルクにアンチジャダー制御入力をさらに印加するにあたり、前記アンチジャダー制御入力は、前記振動認知段階で認知した振動成分に対して、インパルス性制御入力から始まり連続して０に収束する形態で印加する制御入力段階と、を含むことを特徴とする。
【０００９】
また、上記目的を達成するための本発明による車両の乾式クラッチ制御装置は、ホイール速度から仮想の目標入力軸速度を生成し、実際測定された入力軸速度と前記仮想の目標入力軸速度との差によって振動成分を検出する振動成分抽出器と、前記入力軸に連結された乾式クラッチを制御するクラッチ制御トルクにアンチジャダー制御入力をさらに印加するにあたり、前記アンチジャダー制御入力は、前記振動成分抽出器で認知した振動成分に対して、インパルス性制御入力から始まり連続して０に収束する形態で印加するフィードバック制御器と、を含むことを特徴とする。
【発明の効果】
【００１０】
本発明によれば、クラッチディスクの材質変更などの対応策を排除し、乾式クラッチでジャダーが発生する場合に、当該乾式クラッチを制御する方法により、ジャダーを効果的に抑制および除去することで、追加の費用や車両の重量変化をまねくことなく、車両の運転性を大幅に向上させることができる。
【図面の簡単な説明】
【００１１】
【図１】本発明による車両の乾式クラッチ制御方法の実施例を示すフローチャートである。
【図２】本発明による車両の乾式クラッチ制御装置を説明するブロック図である。
【図３】ＤＣＴを搭載した車両で試験を行った結果であって、本発明を適用したか否かによるクラッチジャダーの低減効果を説明する図である。
【図４】本発明による車両の走行状態条件を考慮する過程を簡略化して示す図である。
【図５】本発明による車両の乾式クラッチ制御装置の構成を示すブロック図である。
【図６】図５の振動成分抽出器の構成を示す図である。
【図７】図５のフィードバック制御器において、アンチジャダートルクを加える原理を例示するグラフである。
【発明を実施するための形態】
【００１２】
図１に示す通り、本発明による車両の乾式クラッチ制御方法は、ホイール速度から仮想の目標入力軸速度を生成する基準速度生成段階（Ｓ１０）と、実際測定された入力軸速度と前記仮想の目標入力軸速度との差によって振動成分を検出する振動認知段階（Ｓ２０）と、前記入力軸に連結された乾式クラッチを制御するクラッチ制御トルクにアンチジャダー制御入力をさらに印加するにあたり、前記アンチジャダー制御入力は、振動認知段階（Ｓ２０）で認知した振動成分に対して、インパルス性制御入力から始まり連続して減衰する形態で印加する制御入力段階（Ｓ５０）と、を含む。
【００１３】
基準速度生成段階（Ｓ１０）では、車両のホイール速度の入力を受けて現在の変速比と最終減速比とを乗算して現在駆動に関連する入力軸の速度を算出した後、これをハイパスフィルターで処理することで、前記仮想の目標入力軸速度を求める。
すなわち、車両のホイール速度センサから入力を受ける速度信号に現在噛み合っている変速段の変速比と最終減速比とを乗算して、ＤＣＴの場合、入力軸が２個であるため、現在ホイールに動力を提供する入力軸の速度を算出した後、算出した信号をハイパスフィルターで処理してドリフト（ｄｒｉｆｔ）を除去し、安定した入力軸速度の基準として前記仮想の目標入力軸速度を求める。
【００１４】
振動認知段階（Ｓ２０）では、現在実際に測定されている当該入力軸の速度から前記のように求められた仮想の目標入力軸速度との差を求めることで、当該入力軸が連結されている乾式クラッチの振動成分を抽出する。
参考までに、図２には、前記仮想の目標入力軸速度と実際測定される当該入力軸の速度とを併せて比較して示している。
【００１５】
制御入力段階（Ｓ５０）で印加する前記アンチジャダー制御入力は、以下の時間に対する微分方程式によって決定される。
【数１】
0006393144.tif 000002
ここで、
ＴＡＪは、アンチジャダー制御トルク
σは、アンチジャダー制御トルクの減衰速度を決定する定数
λは、アンチジャダー制御トルクのインパルスの大きさ
ωｉは、測定された実際の入力軸速度
ωｉｄは、仮想の目標入力軸速度
【００１６】
すなわち、アクセルペダルの操作により車両が停車状態から出発するに伴いクラッチをエンジンの回転数に追従するように制御する発進制御が行われるが、この際、前記クラッチを操作するためのクラッチアクチュエータには、基本的に発進制御を行うためのクラッチ制御トルクが入力されている状況である。この状況でクラッチにジャダーが発生すると、基準速度生成段階（Ｓ１０）と振動認知段階（Ｓ２０）により制御入力段階（Ｓ５０）を行う必要があると判断し、制御入力段階（Ｓ５０）では、前記基本的に提供されているクラッチ制御トルクにアンチジャダートルクがさらに印加されるようにして、この際、前記アンチジャダートルクは、上述のように制御しようとする振動の振幅に対してインパルス性制御トルクが加えられた後、徐々に連続して減衰する形態でクラッチに加えられる。
【００１７】
このように、クラッチ振動成分の振幅に対してインパルス性制御トルクが加えられた後、徐々に連続して減衰する形態でアンチジャダートルクを加えることは、以下のような事項を考慮したものである。
すなわち、クラッチジャダーによって発生する振動成分に対して単純に該当する振幅を相殺できる方向にアンチジャダートルクをフィードバック制御する場合、クラッチアクチュエータの応答遅延などによってむしろクラッチ振動を誘発することがあり、単純にインパルス性アンチジャダートルクを加える場合には、ジャダーの振動と瞬間的な位相差が発生する場合にエラーを誘発することがあるため、本発明では、ジャダーの振動に対してインパルス性アンチジャダートルクを加えた後、連続して減衰するようにアンチジャダートルクを制御することで、クラッチアクチュエータの応答遅延などによる問題点を解決するようにしている。
【００１８】
図３は乾式クラッチであるクラッチ１とクラッチ２を備えたＤＣＴを搭載した車両で試験を行った結果であって、左側には、アクセルペダルを踏むにつれて車両が発進する際にジャダーが発生することに対して、本発明を適用していない場合を示しており、右側には、アクセルペダルを踏むにつれて車両が発進する際にジャダーが発生することに対して、本発明を適用した場合を示している。
本発明が適用されていない場合には、ＡＰＳで表されるアクセルペダルの操作によってクラッチ１の速度がエンジン速度を追従して上昇しながら上下にはげしく振動するジャダー状態が示されており、本発明が適用された場合には、同じ状況でアンチジャダートルクが印加されて、クラッチ１のジャダーによる振動が著しく減少することを確認することができる。
【００１９】
一方、振動認知段階（Ｓ２０）と制御入力段階（Ｓ５０）との間に、振動認知段階（Ｓ２０）で認知した振動成分の振幅が所定の基準値以上の場合にのみ制御入力段階（Ｓ５０）を行うように制限する振動程度判断段階（Ｓ３０）をさらに含む。
振動程度判断段階（Ｓ３０）は、積極的にジャダーによる振動を減少させる必要がある状況でのみ本発明の制御を適用するためのものであって、前記所定の基準値は、運転者が感じることのできない水準のジャダーの場合には、制御入力段階（Ｓ５０）を行わず、積極的に本発明の制御により減少させることができる水準のジャダーの場合には、制御入力段階（Ｓ５０）を行うようにするための値であって、多数の実験などにより適宜選択できる値である。
【００２０】
一方、振動程度判断段階（Ｓ３０）と制御入力段階（Ｓ５０）との間に、車両の運転状態に応じて制御入力段階（Ｓ５０）へ進むか否かを決定する走行状態判断段階（Ｓ４０）をさらに含み、走行状態判断段階（Ｓ４０）で判断する車両の運転状態は、車両が停車状態から発進する状態であるかを含み、車両が停車状態から発進する状態の場合に、制御入力段階（Ｓ５０）へ進むようにする。
すなわち、本実施例は、走行状態判断段階（Ｓ４０）を含み、本発明の制御入力段階（Ｓ５０）を車両の発進状態にのみ適用する。これは、車両の走行の際に主に問題となるクラッチジャダーが、車両が停車状態から発進する際に発生するため、このときにのみ本発明を適用し、発進の進入と終了が繰り返して行われる場合には本発明を適用しないためである。
【００２１】
具体的に、車両が停車状態からの発進状態であるかを判断する方法は、発進開始の際の入力軸速度が所定の設定値未満の場合を、停車状態からの発進と把握する基準にするものである。すなわち、車速（入力軸速度）がほぼ０付近から始まり発進制御が行われる場合には、停車状態からの発進と把握する。したがって、前記設定値は、車速がほぼ０付近を示す値に設定できる。
【００２２】
一方、走行状態判断段階（Ｓ４０）で判断する車両の運転状態は、次のような運転状態をさらに含む。
すなわち、さらに考慮しうる運転状態は、車速が所定の水準を超えており、クラッチのジャダーが発生しうる範囲であるかを示す車速状態と、クラッチのスリップが所定の水準未満であり、クラッチのジャダーが発生しうる範囲であるかを示すスリップ状態と、エンジン速度の変化が所定の範囲内であり、エンジンが正常状態であるかを示すエンジン速度変化状態と、エンジン速度がエンジンのアイドル速度より大きいかを示すエンジン速度状態と、を含む。
前記のような運転状態を検討して、前記車速状態がクラッチのジャダーが発生しうる範囲であり、前記クラッチのスリップがクラッチのジャダーが発生しうる範囲であり、前記エンジン速度変化がエンジンが正常状態であることを示し、エンジン速度がエンジンのアイドル速度より大きい場合に、制御入力段階（Ｓ５０）を行う。
【００２３】
具体的に、前記車速状態は、現在駆動に関連する入力軸速度が所定の設定値以上であるかを判断して、クラッチのジャダーが発生しうる範囲であるかを判断することができ、これは、車速が停車状態と区分し難い低すぎる状態では本発明を適用せず、車速がある程度上昇してクラッチジャダーが発生しうる水準の車速範囲でのみ本発明を適用するためであって、前記設定値は、かかる趣旨に基づいて実験および解釈を行い、ジャダーが発生しない領域と発生し始める領域との間の値に設定する。
【００２４】
前記スリップ状態は、現在駆動に関連する入力軸速度とエンジン速度との回転速度差であるスリップ速度がどの領域にあるかを考慮するものであって、スリップ速度が大きすぎる場合にはジャダーが発生せず、略４００〜８００ＲＰＭの範囲でジャダーが発生する傾向にあるため、前記スリップ速度が、例えば、３００〜９００ＲＰＭの範囲にある場合にのみ制御入力段階（Ｓ５０）を行うようにする。
【００２５】
前記エンジン速度変化がエンジンが正常状態であるかを示す条件は、アクセルペダルの操作によってエンジンの速度が急激に変化している過渡区間を排除し、ある程度エンジン速度変化が大きくない正常状態の場合にジャダーが頻繁に発生するため、かかる状況で制御入力段階（Ｓ５０）を行うためのものであって、その具体的な判断により、エンジン速度変化量が設定値より小さい場合にエンジンが正常状態であると判断することができ、前記設定値は、その趣旨に適合するように、実験などによりエンジンが正常状態であるか否かを確認できる水準に定めることができる。
また、エンジン速度がエンジンのアイドル速度より大きいかを判断することは、エンジン速度がアイドル速度以下の状態で制御入力段階（Ｓ５０）を行うと、エンジン始動が停止することがあるため、これを防止するためである。
【００２６】
一方、走行状態判断段階（Ｓ４０）で判断する車両の運転状態は、所定の時間内に運転者がアクセルペダルを踏んでから離すことを繰り返す回数をさらに含み、前記所定の時間内に前記アクセルペダルを踏んでから離す操作が繰り返して行われる場合には、制御入力段階（Ｓ５０）を行わないようにすることができる。
これは、運転者が継続してアクセルペダルを踏んでから離すいわゆるティップイン‐アウト（ＴＩＰ  ＩＮ／ＯＵＴ）動作を繰り返して行う場合には、本発明のジャダー防止制御を適用しないことが、車両の発進感の向上においてより有利であるためである。
【００２７】
したがって、本発明を行うコントローラでは、運転者のアクセルペダルの操作により前記ティップイン−アウト動作をカウントし、この値が０の場合にのみ制御入力段階（Ｓ５０）を行うようにし、前記カウントは、所定の時間が経過すると、０に初期化するルーチンを行うことで、運転者が短時間内にアクセルペダルを繰り返して操作する場合には本発明を適用しないようにする。
前記カウントを初期化する所定の時間は、ある程度の時間内で繰り返して行われるアクセルペダルの操作に対しては本発明を適用することが好ましくないかに関する多数の実験などにより適宜設定される。
【００２８】
一方、前記車両の運転状態のうち、車速状態、スリップ状態およびエンジン速度状態が制御入力段階（Ｓ５０）を行うための条件から逸脱するか、運転者がアクセルペダルから足を離す場合には、制御入力段階（Ｓ５０）の実行を中止することが、上述の各状態別の趣旨に適合する。
以上のような車両の運転状態に応じて制御入力段階（Ｓ５０）へ進むか否かに関する判断は、図４のように簡略化して表現することができる。
【００２９】
一方、本発明の制御方法は、以下のような制御装置により具現できる。図５および図６に示すように、本発明の制御装置は、ホイール速度から仮想の目標入力軸速度を生成し、実際測定された入力軸速度と前記仮想の目標入力軸速度との差によって振動成分を検出する振動成分抽出器と、前記入力軸に連結された乾式クラッチを制御するクラッチ制御トルクにアンチジャダー制御入力をさらに印加するにあたり、前記アンチジャダー制御入力は、前記振動成分抽出器で認知した振動成分に対して、インパルス性制御入力から始まり連続して減衰する形態で印加するフィードバック制御器と、を含む。
【００３０】
前記振動成分抽出器は、図６に示すように、前記ホイール速度に変速比と最終減速比とを乗算して現在駆動に関連する入力軸の回転速度を求める積算部と、前記のように求められた入力軸の回転速度を処理するハイパスフィルターと、実際測定された入力軸速度と前記ハイパスフィルターから出力される前記仮想の目標入力軸速度との差による振動成分を抽出する比較器と、からなる。
前記フィードバック制御器は、前記振動成分抽出器から入力される振動成分の振幅が所定の基準値以上の場合にのみ、前記アンチジャダー制御入力を上述の時間に対する微分方程式によって決定して印加することで、図７に概念的に例示したグラフのように、制御対象ジャダー振動の振幅に対して、最初はインパルス性アンチジャダートルクを入力し、以降、アンチジャダートルクを徐々に減衰させて、これにより、振動成分が時間の経過に伴い徐々に低減する効果を奏するようにするものである。
【００３１】
以上、本発明に関する好ましい実施形態を説明したが、本発明は前記実施形態に限定されるものではなく、本発明の属する技術分野を逸脱しない範囲での全ての変更が含まれる。
【符号の説明】
【００３２】
Ｓ１０  基準速度生成段階
Ｓ２０  振動認知段階
Ｓ３０  振動程度判断段階
Ｓ４０  走行状態判断段階
Ｓ５０  制御入力段階
【図１】
0006393144.tif 000005
【図２】
0006393144.tif 000006
【図３】
0006393144.tif 000007
【図４】
0006393144.tif 000008
【図５】
0006393144.tif 000009
【図６】
0006393144.tif 000010
【図７】
0006393144.tif 000011